(57)【要約】【課題】素子のストレスを減らすことができ、維持放電パルスの上昇及び下降時間を短縮することができるプラズマディスプレイパネルを提供する。【解決手段】Ｖｓ電圧を供給する第１及び第２信号線と、０Ｖを供給する第３及び第４信号線が形成されている。パネルキャパシターＣｐのＹ及びＸ電極が各々Ｖｓ電圧及び０Ｖに維持された状態で、第１信号線からインダクタＬを経て第４信号線に流れる第１方向の電流を供給する。次に、パネルキャパシターＣｐのＹ電極からインダクタＬを経てパネルキャパシターＣｐのＸ電極に電流を流し、パネルキャパシターＣｐとインダクタＬの共振によってパネルキャパシターＣｐのＹ及びＸ電極電圧を変える。パネルキャパシターＣｐのＹ及びＸ電極が各々０Ｖ及びＶｓ電圧になった時、第３信号線、インダクタＬ、及び第２信号線に電流が流れて形成され第１方向の電流の大きさが減小する。【選択図】　　　　　　図２
2004054264.tif 000002
【特許請求の範囲】
【請求項１】
互いに対をなして配列された複数の走査電極及び維持電極と、前記走査電極及び維持電極の間に形成されるパネルキャパシターとを含むプラズマディスプレイパネルの駆動装置において、
各々第１及び第２電圧を供給する第１及び第２電源の間に直列に連結され、その接点が前記パネルキャパシターの一端に連結される第１及び第２スイッチング素子と、
前記第１及び第２電源の間に直列に連結され、その接点が前記パネルキャパシターの他端に連結される第３及び第４スイッチング素子と、
前記パネルキャパシターの一端に連結されるインダクタと、
前記インダクタと前記パネルキャパシターの他端との間に並列に連結される第５及び第６スイッチング素子とを含み、
前記第１電源、前記インダクタ及び前記第２電源の間に形成される経路によって前記インダクタに電流が注入され、前記インダクタに電流が注入された状態で前記パネルキャパシターと前記インダクタによって発生する共振によって前記パネルキャパシターの一端及び他端の電圧が同時に変更されるプラズマディスプレイパネルの駆動装置。
【請求項２】
前記第５スイッチング素子と前記インダクタとの間に連結される第１ダイオード、及び前記インダクタと前記第６スイッチング素子との間に連結される第２ダイオードをさらに含む、請求項１に記載のプラズマディスプレイパネルの駆動装置。
【請求項３】
前記第１電圧と前記第２電圧との差は前記プラズマディスプレイパネルの維持放電に必要な維持放電電圧である、請求項１に記載のプラズマディスプレイパネルの駆動装置。
【請求項４】
前記第１乃至第４スイッチング素子はボディーダイオードを有する、請求項１に記載のプラズマディスプレイパネルの駆動装置。
【請求項５】
互いに対をなして配列された複数の走査電極及び維持電極と、前記走査電極及び維持電極の間に形成されるパネルキャパシターとを含むプラズマディスプレイパネルの駆動装置において、
前記パネルキャパシターの一端に電気的に連結されるインダクタと、
前記第１電圧を供給する第１及び第２信号線と、
前記第２電圧を供給する第３及び第４信号線と、
前記パネルキャパシターの一端及び他端が各々第１及び第２電圧に維持されている状態で、前記第１信号線から前記インダクタを経て前記第４信号線で形成されて前記インダクタに第１方向の電流を供給する第１電流経路と、
前記パネルキャパシターの一端から前記インダクタを経て前記パネルキャパシターの他端に形成され、前記第１方向の電流と前記パネルキャパシター及び前記インダクタの間の共振によって前記パネルキャパシターの一端及び他端の電圧が変わる第２電流経路と、
前記パネルキャパシターの一端及び他端が各々前記第２及び第１電圧になった時、前記第１方向の電流の大きさが減小するように前記第３信号線、前記インダクタ及び前記第２信号線で形成される第３電流経路と、
を含むプラズマディスプレイパネルの駆動装置。
【請求項６】
前記パネルキャパシターの一端及び他端が各々前記第２及び第１電圧になった時、前記パネルキャパシターの一端及び他端が各々前記第３及び第２信号線に電気的に連結される、請求項５に記載のプラズマディスプレイパネルの駆動装置。
【請求項７】
前記パネルキャパシターの一端及び他端が各々第２及び第１電圧に維持されている状態で、前記第２信号線から前記インダクタを経て前記第３信号線で形成されて前記インダクタに前記第１方向とは反対方向である第２方向の電流を供給する第４電流経路と、
前記パネルキャパシターの他端から前記インダクタを経て前記パネルキャパシターの一端に形成され、前記第２方向の電流と前記パネルキャパシター及び前記インダクタの間の共振によって前記パネルキャパシターの一端及び他端の電圧が変わる第５電流経路と、
前記パネルキャパシターの一端及び他端が各々前記第１及び第２電圧になった時、前記第２方向の電流の大きさが減小するように前記第４信号線、前記インダクタ及び前記第１信号線で形成される第６電流経路と、
をさらに含む、請求項５に記載のプラズマディスプレイパネルの駆動装置。
【請求項８】
前記パネルキャパシターの一端及び他端が各々前記第１及び第２電圧になった時、前記パネルキャパシターの一端及び他端が各々前記第１及び第４信号線に電気的に連結される、請求項７に記載のプラズマディスプレイパネルの駆動装置。
【請求項９】
前記第１電圧と前記第２電圧との差は前記プラズマディスプレイパネルの維持放電に必要な維持放電電圧である、請求項５に記載のプラズマディスプレイパネルの駆動装置。
【請求項１０】
互いに対をなして配列された複数の走査電極及び維持電極、前記走査電極及び維持電極の間に形成されるパネルキャパシター、前記パネルキャパシターの一端に電気的に連結されるインダクタ、及び各々第１及び第２電圧を供給する第１及び第２電源を含むプラズマディスプレイパネルを駆動する方法において、
前記パネルキャパシターの一端及び他端を各々前記第１及び第２電圧に固定させた状態で、前記第１電源と前記第２電源との電圧差によって第１方向の電流を前記インダクタに供給して第１エネルギーを保存する第１段階と、
前記パネルキャパシターの一端から前記インダクタを経て前記パネルキャパシターの他端に形成される経路で発生する共振と前記第１エネルギーを用いて前記パネルキャパシターの一端及び他端の電圧を各々前記第２及び第１電圧に変える第２段階と、
前記パネルキャパシターの一端及び他端を各々前記第２及び第１電圧に維持しながら、前記インダクタに残っているエネルギーを前記第１電源に回収する第３段階と
を含むプラズマディスプレイパネルの駆動方法。
【請求項１１】
前記第１電圧と前記第２電圧との差は前記プラズマディスプレイパネルの維持放電に必要な維持放電電圧である、請求項１０に記載のプラズマディスプレイパネルの駆動方法。
【請求項１２】
前記パネルキャパシターの一端及び他端を各々前記第２及び第１電圧に固定させた状態で、前記第１電源と前記第２電源との電圧差によって前記第１方向とは反対方向である第２方向の電流を前記インダクタに供給して第２エネルギーを保存する第４段階と、
前記パネルキャパシターの他端から前記インダクタを経て前記パネルキャパシターの一端に形成される経路で発生する共振と前記第２エネルギーを用いて前記パネルキャパシターの一端及び他端の電圧を各々前記第１及び第２電圧に変える第５段階と、
前記パネルキャパシターの一端及び他端を各々前記第１及び第２電圧に維持しながら、前記インダクタに残っているエネルギーを前記第１電源に回収する第６段階と
をさらに含む、請求項１０に記載のプラズマディスプレイパネルの駆動方法。
【発明の詳細な説明】
【０００１】
【発明の属する技術分野】
本発明はプラズマディスプレイパネル（ｐｌａｓｍａ　ｄｉｓｐｌａｙ　ｐａｎｅｌ、ＰＤＰ）の駆動装置及び駆動方法に係わり、特に維持放電回路に関する。
【０００２】
【従来の技術】
最近、液晶表示装置（ｌｉｑｕｉｄ　ｃｒｙｓｔａｌ　ｄｉｓｐｌａｙ、ＬＣＤ）、電界放出表示装置（ｆｉｅｌｄ　ｅｍｉｓｓｉｏｎ　ｄｉｓｐｌａｙ、ＦＥＤ）、プラズマディスプレイパネルなどの平面表示装置が活発に開発されている。これら平面表示装置のうちプラズマディスプレイパネルは他の平面表示装置に比べて輝度及び発光効率が高く、視野角が広いという長所がある。従って、プラズマディスプレイパネルは４０インチ以上の大型表示装置において従来の陰極線管（ｃａｔｈｏｄｅ　ｒａｙ　ｔｕｂｅ、ＣＲＴ）に替わる表示装置として脚光を浴びている。
【０００３】
プラズマディスプレイパネルは気体放電によって生成されたプラズマを利用して文字または映像を表示する平面表示装置であって、その大きさに応じて数十から数百万個以上の画素がマトリックス形態に配列されている。このようなプラズマディスプレイパネルは印加される駆動電圧波形の形態と放電セルの構造によって直流形（ＤＣ形）と交流形（ＡＣ形）に区分される。
【０００４】
直流形プラズマディスプレイパネルは電極が放電空間にそのまま露出されているため、電圧が印加される間は電流が放電空間にそのまま流れるようになり、このために電流制限のための抵抗を作らなければならないという短所がある。反面、交流形プラズマディスプレイパネルでは電極を誘電体層が覆っていて自然なキャパシタンス成分の形成で電流が制限され、放電時にイオンの衝撃から電極が保護されるので、直流形に比べて寿命が長いという長所がある。
【０００５】
一般に交流形プラズマディスプレイパネルの駆動方法はリセット期間、アドレシング期間、維持放電期間、消去期間からなる。リセット期間はセルにアドレシング動作が円滑に遂行されるようにするために各セルの状態を初期化させる期間であり、アドレシング期間はパネルにおいて灯るセルと灯らないセルを選択して灯るセル（アドレシングされたセル）に壁電荷を積む動作を行う期間である。維持放電期間はアドレシングされたセルに実際に画像を表示するための放電を遂行する期間であり、維持放電期間になると走査電極と維持電極に維持放電パルスが交互に印加され維持放電が行われて映像が表示される。消去期間はセルの壁電荷を減少させて維持放電を終了させる期間である。
【０００６】
交流形プラズマディスプレイパネルはその維持放電のための走査電極及び維持電極が容量性負荷として作用するため、走査電極及び維持電極に対するキャパシタンスが存在し、このように容量性負荷として作用する走査電極及び維持電極の間のパネルは等価的にパネルキャパシターで表現される。このようなパネルキャパシターに維持放電のための波形を印加するためには放電のための電力以外に無効電力が必要である。従って、維持放電回路は無効電力を回収して再使用する電力回収回路を含む。
【０００７】
このような維持放電回路としてはエル．エフ．ウェーバー（Ｌ．　Ｆ．　Ｗｅｂｅｒ）によって提案された回路（特許文献１及び２参照）がある。ウェーバーの維持放電回路には電力回収用キャパシターが形成されていて、パネルキャパシターとインダクタの共振によってパネルキャパシターのエネルギーが電力回収用キャパシターに回収されたり、電力回収用キャパシターに保存されたエネルギーがパネルキャパシターに伝達される。
【０００８】
しかし、このような従来の回路では発光開示直後、電力回収用キャパシターが常に維持放電電圧の半分ほど充電されなければならず、そうでない状態では維持放電パルス開示の時に非常に大きな突入電流が発生することがある。また、従来の回路ではスイッチの導通損失やスイッチング損失など回路そのものの損失が存在するため、エネルギーを１００％回収できない問題点がある。これによってパネルキャパシターの端子電圧を維持放電電圧まで上げることができなかったり接地電圧まで下げることができなくなって、維持放電区間でスイッチがゼロ電圧スイッチングせずハードスイッチングする。従って、不必要な電力損失が発生してスイッチング素子のストレスが増加する。また、従来の維持放電回路はパネルキャパシター端子電圧の上昇及び下降時間が長く、放電がパネルキャパシター端子電圧の上昇または下降区間で起こることがある。
【０００９】
【特許文献１】
米国特許第４、８６６、３４９号明細書
【特許文献２】
米国特許第５、０８１、４００号明細書
【００１０】
【発明が解決しようとする課題】
本発明が目的とする技術的課題は、素子のストレスを減らすことができ維持放電パルスの上昇及び下降時間を短縮することができるプラズマディスプレイパネルを提供することにある。
【００１１】
【課題を解決するための手段】
このような課題を解決するために本発明は、パネルキャパシターの端子電圧が変わる時、インダクタがパネルキャパシターのＹ電極とＸ電極の間に連結されるようにする。
【００１２】
本発明の第１の特徴によるプラズマディスプレイパネルの駆動装置には、各々第１及び第２電圧を供給する第１及び第２電源の間に直列に連結されその接点がパネルキャパシターの一端に連結される第１及び第２スイッチング素子が形成されている。第３及び第４スイッチング素子は第１及び第２電源の間に直列に連結されており、接点がパネルキャパシターの他端に連結されている。また、インダクタがパネルキャパシターの一端に連結され、第５及び第６スイッチング素子がインダクタとパネルキャパシターの他端の間に並列に連結される。
【００１３】
第１ダイオードが第５スイッチング素子とインダクタの間に連結され、第２ダイオードがインダクタと第６スイッチング素子の間に連結される。
【００１４】
この時、第１電圧と第２電圧の差はプラズマディスプレイパネルの維持放電に必要な維持放電電圧であるのが好ましい。また、第１乃至第４スイッチング素子はボディーダイオードを有するのが好ましい。
【００１５】
本発明の第２の特徴によるプラズマディスプレイパネルの駆動装置には、パネルキャパシターの一端に電気的に連結されるインダクタ、第１電圧を供給する第１及び第２信号線、そして第２電圧を供給する第３及び第４信号線が形成されている。パネルキャパシターの一端及び他端が各々第１及び第２電圧に維持されている状態で、第１電流経路が第１信号線からインダクタを経て第４信号線で形成され、インダクタに第１方向の電流を供給する。第２電流経路がパネルキャパシターの一端からインダクタを経てパネルキャパシターの他端に形成され、第１方向の電流とパネルキャパシターとインダクタの間の共振によってパネルキャパシターの一端及び他端の電圧が変わる。そして、パネルキャパシターの一端及び他端が各々第２及び第１電圧になった時、第３電流経路が第３信号線、インダクタ及び第２信号線で形成され第１方向の電流の大きさが減小する。
【００１６】
この時、パネルキャパシターの一端及び他端が各々第２及び第１電圧になった時、パネルキャパシターの一端及び他端が各々第３及び第２信号線に電気的に連結されるのが好ましい。
【００１７】
本発明によるプラズマディスプレイパネルの駆動方法によると、パネルキャパシターの一端及び他端を各々第１及び第２電圧に固定させた状態で、第１電源と第２電源の電圧差によって第１方向の電流をインダクタに供給して第１エネルギーを保存する。次に、パネルキャパシターの一端からインダクタを経てパネルキャパシターの他端に形成される経路で発生する共振と第１エネルギーでパネルキャパシターの一端及び他端電圧を各々第２及び第１電圧に変える。そしてパネルキャパシターの一端及び他端を各々第２及び第１電圧に維持しながら、インダクタに残っているエネルギーを第１電源に回収する。
【００１８】
【発明の実施の形態】
以下では添付図面を参考して本発明の実施の形態について本発明の属する技術分野における通常の知識を有する者が容易に実施できるように詳細に説明する。しかし、本発明は多様に相異する形態で具現することができ、ここで説明する実施の形態に限定されない。
【００１９】
図面において、本発明を明確に説明するために、説明と関係ない部分は省略した。明細書全体にわたって類似した部分については同一な図面符号を付与した。ある部分が他の部分と連結されているとする時、これは直接的に連結されている場合だけでなくその中間に他の素子を介在して連結されている場合も含む。
【００２０】
以下、本発明の実施の形態によるプラズマディスプレイパネルの駆動装置及び駆動方法について図面を参考して詳細に説明する。
【００２１】
まず、図１を参照して本発明の実施の形態によるプラズマディスプレイパネルについて説明する。
【００２２】
図１は本発明の実施の形態によるプラズマディスプレイパネルを示す図面である。
【００２３】
図１に示すように、本発明の実施の形態によるプラズマディスプレイパネルはプラズマパネル１００、アドレス駆動部２００、走査・維持駆動部３００及び制御部４００を含む。
【００２４】
プラズマパネル１００は列方向に配列されている複数のアドレス電極Ａ１〜Ａｍ、行方向にジグザグに配列されている複数の走査電極Ｙ１〜Ｙｎ及び維持電極Ｘ１〜Ｘｎを含む。アドレス駆動部２００は制御部４００からアドレス駆動制御信号を受信して表示しようとする放電セルを選択するための表示データ信号を各アドレス電極Ａ１〜Ａｍに印加する。走査・維持駆動部３００は維持放電回路を含み、維持放電回路は制御部４００から維持放電駆動制御信号を受信して走査電極Ｙ１〜Ｙｎと維持電極Ｘ１〜Ｘｎに維持放電パルスを交互に入力することによって選択された放電セルに対して維持放電を遂行する。制御部４００は外部から映像信号を受信してアドレス駆動制御信号と維持放電駆動制御信号を生成し各々アドレス駆動部２００と走査・維持駆動部３００に印加する。
【００２５】
以下、図２乃至図１１を参照して本発明の実施の形態による維持放電回路について詳細に説明する。
【００２６】
図２は本発明の実施の形態によるプラズマディスプレイパネルの維持放電回路を示す図面である。図３乃至図１０は本発明の実施の形態による維持放電回路における各モードの電流経路を示す図面であり、図１１は本発明の実施の形態による維持放電回路の動作タイミングを示す図面である。
【００２７】
図２に示すように、本発明の実施の形態による維持放電回路はＹ電極駆動部３１０、Ｘ電極駆動部３２０及び共振部３３０を含む。Ｙ電極駆動部３１０及びＸ電極駆動部３２０はパネルキャパシターＣｐのＹ電極及びＸ電極に連結されており、各々スイッチング素子Ｙｓ、Ｙｇ及びスイッチング素子Ｘｓ、Ｘｇを含む。共振部３３０にはインダクタＬとスイッチング素子Ｘａ、Ｙａが形成されている。図２ではスイッチング素子Ｙｓ、Ｙｇ、Ｙａ、Ｘｓ、Ｘｇ、ＸａをＭＯＳＦＥＴで表示したが、これに限定されず同一な機能または類似した機能を遂行するものであればいかなるスイッチング素子を使用してもよい。また、このようなスイッチング素子Ｙｓ、Ｙｇ、Ｙａ、Ｘｓ、Ｘｇ、Ｘａはボディーダイオードを有するのが好ましい。
【００２８】
詳しく説明すると、スイッチング素子Ｙｓ、ＹｇはＶｓ電圧を供給する電源Ｖｓと接地端との間に直列に連結されており、その接点がパネルキャパシターＣｐのＹ電極に連結されている。スイッチング素子Ｘｓ、Ｘｇは電源Ｖｓと接地端との間に直列に連結されており、その接点がパネルキャパシターＣｐのＸ電極に連結されている。インダクタＬはパネルキャパシターＣｐのＹ電極に連結されており、スイッチング素子Ｘａ、ＹａはインダクタＬとパネルキャパシターＣｐのＸ電極との間に並列に連結されている。この時、インダクタＬとスイッチング素子Ｘａ、Ｙａとの間には各々ダイオードＤ１、Ｄ２がさらに含まれることができる。このダイオードＤ１、Ｄ２は各々スイッチング素子Ｘａ、Ｙａのボディーダイオードによって流れる電流を遮断する。また、実際回路には寄生成分が存在するため、インダクタとスイッチング素子Ｘｓ、Ｘｇとの間の電圧をＶｓ電圧または０Ｖにクランピングするためのダイオード（図示せず）が形成される。
【００２９】
図２ではインダクタＬがパネルキャパシターＣｐのＹ電極に連結されると説明したが、インダクタＬはパネルキャパシターＣｐのＸ電極に連結されることができ、この場合、スイッチング素子Ｘａ、ＹａはパネルキャパシターＣｐのＹ電極に連結される。
【００３０】
このような維持放電回路の動作について図３乃至図１０、図１１を参照して詳細に説明する。ここで、変化は８個のモード（Ｍ１−Ｍ８）で一巡し、全ての変化はスイッチング素子の操作によって生じる。以下で共振と称している現象は連続的発進ではなく、スイッチング素子のターンオンまたはターンオフ時に生じるインダクタ（Ｌ）とパネルキャパシター（Ｃｐ）の組み合わせによる電圧及び電流の変化現象である。
【００３１】
図３及び図１１を見ると、モード１Ｍ１ではスイッチング素子Ｙｓ、ＸｇがターンオンされてパネルキャパシターＣｐのＹ及びＸ電極電圧が各々Ｖｓ及び０Ｖに維持されている。この状態でスイッチング素子Ｙａがターンオンされて電源Ｖｓ、スイッチング素子Ｙｓ、インダクタＬ、ダイオードＤ２、スイッチング素子Ｙａ、Ｘｇ及び接地端で電流経路が形成される。この電流経路によってインダクタＬに流れる電流ＩＬはＶｓ／Ｌの傾きで線形的に増加するようになり、インダクタＬにエネルギーが蓄積される。
【００３２】
次に、モード２Ｍ２ではスイッチング素子Ｙａがターンオンされた状態でスイッチング素子Ｙｓ、Ｘｇがターンオフされる。そうすると、図４に示すように、インダクタＬに流れている電流ＩＬはインダクタＬ、ダイオードＤ２、スイッチング素子Ｙａ及びパネルキャパシターＣｐの経路に流れるようになり、インダクタＬとパネルキャパシターＣｐの間で共振が発生する。この共振によってパネルキャパシターＣｐのＹ電極電圧Ｖｙは０Ｖまで減少しＸ電極電圧ＶｘはＶｓ電圧まで増加する。図１１に示すように、共振によってインダクタＬに流れる電流ＩＬは最高値Ｉｐｋまで上がった後、再び減る。この時、モード１Ｍ１で予めインダクタＬにエネルギーを蓄積した状態で共振が発生するので、維持放電回路に寄生成分がある場合にもＹ及びＸ電極電圧Ｖｙ、Ｖｘが各々０Ｖ及びＶｓ電圧まで変わることができる。
【００３３】
モード３Ｍ３ではパネルキャパシターＣｐのＹ及びＸ電極電圧Ｖｙ、Ｖｘが各々０Ｖ及びＶｓ電圧になりスイッチング素子（Ｙｇ、Ｘｓ）のボディーダイオードが導通する。そうすると、図５に示すように、インダクタＬに流れている電流ＩＬはスイッチング素子Ｙｇのボディーダイオード、インダクタＬ、ダイオードＤ２、スイッチング素子Ｙａ及びスイッチング素子Ｘｓのボディーダイオードに流れるようになって−Ｖｓ／Ｌの傾きで線形的に減少する。つまり、インダクタＬに流れる電流は電源Ｖｓに回収される。また、スイッチング素子Ｙｇ、ＸｓがターンオンされてパネルキャパシターのＹ及びＸ電極電圧Ｖｙ、Ｖｘを各々０Ｖ及びＶｓ電圧に維持する。この時、スイッチング素子Ｙｇ、Ｘｓは全てドレインとソースの間の電圧が０電圧である状態でターンオンされるゼロ電圧スイッチングするので、スイッチング素子Ｙｇ、Ｘｓのターンオンスイッチング損失が発生しない。
【００３４】
モード４Ｍ４ではインダクタＬに流れる電流ＩＬが０Ａになると、スイッチング素子Ｙａをターンオフする。スイッチング素子Ｙｇ、Ｘｓはターンオンされているので、図６に示すように、パネルキャパシターＣｐのＹ及びＸ電極電圧は各々０Ｖ及びＶｓ電圧に維持される。
【００３５】
図７及び図１１を見ると、モード５Ｍ５ではパネルキャパシターＣｐのＹ及びＸ電極電圧が各々０Ｖ及びＶｓ電圧に維持されている状態でスイッチング素子Ｘａがターンオンされて、電源Ｖｓ、スイッチング素子Ｘｓ、Ｘａ、ダイオードＤ１、インダクタＬ、スイッチング素子Ｙｇ及び接地端で電流経路が形成される。この電流経路によってインダクタＬに流れる電流ＩＬはモード１Ｍ１での方向とは反対方向に流れ、その大きさはＶｓ／Ｌの傾きで線形的に増加するようになってインダクタＬにエネルギーが蓄積される。
【００３６】
次に、モード６Ｍ６ではスイッチング素子Ｘａがターンオンされた状態でスイッチング素子Ｙｇ、Ｘｓがターンオフされる。そうすると、図８に示すように、インダクタＬに流れている電流ＩＬはインダクタＬ、パネルキャパシターＣｐ、スイッチング素子Ｘａ及びダイオードＤ１の経路に流れるようになって、インダクタＬとパネルキャパシターＣｐの間で共振が発生する。この共振によってパネルキャパシターＣｐのＹ電極電圧ＶｙはＶｓ電圧まで増加し、Ｘ電極電圧Ｖｘは０Ｖまで減少する。図１１に示すように、共振によってインダクタＬに流れる電流ＩＬの大きさは最高値Ｉｐｋまで上がった後、再び減る。モード５Ｍ５でインダクタＬにエネルギーを蓄積した状態で共振が発生するので、維持放電回路に寄生成分がある場合にもＹ及びＸ電極電圧Ｖｙ、Ｖｘが各々Ｖｓ電圧及び０Ｖまで変わることができる。
【００３７】
モード７Ｍ７ではパネルキャパシターＣｐのＹ及びＸ電極電圧Ｖｙ、Ｖｘが各々Ｖｓ電圧及び０Ｖになり、スイッチング素子Ｙｓ、Ｘｇのボディーダイオードが導通する。そうすると、図９に示すように、インダクタＬに流れている電流ＩＬはスイッチング素子Ｘｇのボディーダイオード、スイッチング素子Ｘａ、ダイオードＤ１、インダクタＬ及びスイッチング素子Ｙｓのボディーダイオードに流れるようになってその大きさが−Ｖｓ／Ｌの傾きで線形的に減少する。つまり、インダクタＬに流れる電流は電源Ｖｓに回収される。また、スイッチング素子Ｙｓ、Ｘｇがターンオンされて、パネルキャパシターのＹ及びＸ電極電圧Ｖｙ、Ｖｘが各々Ｖｓ電圧及び０Ｖに維持される。この時、スイッチング素子Ｙｓ、Ｘｇは全てゼロ電圧スイッチングするので、スイッチング素子Ｙｓ、Ｘｇのターンオンスイッチング損失が発生しない。
【００３８】
インダクタＬに流れる電流ＩＬが０Ａになった時、モード８Ｍ８ではスイッチング素子Ｘａをターンオフする。スイッチング素子Ｙｇ、Ｘｓはターンオンされているので、図１０に示すように、パネルキャパシターＣｐのＹ及びＸ電極電圧は各々Ｖｓ電圧及び０Ｖに維持される。
【００３９】
このようなモード１乃至モード８の過程を繰り返してパネルキャパシターＣｐのＹ及びＸ電極にＶｓ電圧と０Ｖの間をスイングする維持放電パルスを印加することができる。
【００４０】
以上で説明したように、本発明の実施の形態ではモード１及びモード５でインダクタにエネルギーを蓄積した状態で共振を発生させるので、回路に寄生成分がある場合にもゼロ電圧スイッチングすることができる。また、インダクタに電流が流れる状態で共振が発生するのでパネルキャパシターＣｐのＹ及びＸ電極電圧の上昇または下降時間が短くなる。
【００４１】
図２ではパネルキャパシターＣｐのＹ及びＸ電極電圧がＶｓ電圧と０Ｖの間をスイングするように電源としてＶｓ電圧と接地電圧を使用した。
【００４２】
本発明は他の実施の形態として、図１２に示すように、ＶＨ電圧を供給する電源ＶＨとＶＨ−Ｖｓ電圧を供給する電源ＶＬが用いてもよい。られる。この場合、スイッチング素子Ｙｓ、Ｘｓは電源ＶＨに連結され、スイッチング素子Ｙｇ、Ｘｇは電源ＶＬに連結されている。このようにすると、パネルキャパシターＣｐのＹ及びＸ電極にはＶＨ電圧とＶＨ−Ｖｓ電圧が交互に印加され、Ｙ及びＸ電極電圧の差がＶｓ電圧になるので維持放電に必要な電圧がパネルキャパシターＣｐに印加できる。
【００４３】
また、本発明の実施の形態ではモード１乃至モード３とモード５乃至モード７で流れる電流が同一なインダクタを通過するようにしたが、他のインダクタを通過するようにすることもできる。図２でパネルキャパシターＣｐのＹ電極とスイッチング素子Ｘａの間に形成されるインダクタ（以下、インダクタＬ１とする）と、Ｘ電極とスイッチング素子Ｙａの間に形成されるインダクタ（以下、インダクタＬ２とする）とを異にする。このようにすると、モード１乃至モード３ではインダクタＬ１を通じて電流が流れ、モード５乃至モード７ではインダクタＬ２を通じて電流が流れる。
【００４４】
以上、本発明の好ましい実施の形態について詳細に説明したが、本発明の権利範囲はこれに限定されず、特許請求の範囲で定義している本発明の基本概念を利用した当業者による様々な変形及び改良形態も本発明の権利範囲に属する。
【００４５】
【発明の効果】
このように本発明によると、予め蓄積されたインダクタのエネルギーを用いてパネルキャパシターの端子電圧をＶｓ電圧及び０Ｖ電圧に変えることができるのでゼロ電圧スイッチングが可能になり、これによってスイッチング素子のストレスが減少する。また、維持放電パルスの上昇及び下降時間が短縮され、安定した放電が可能である。また、電力回収用キャパシターが必要ないので起動時に突入電流が発生しない。
【図面の簡単な説明】
【図１】本発明の実施の形態によるプラズマディスプレイパネルを示す図面である。
【図２】本発明の実施の形態によるプラズマディスプレイパネルの維持放電回路を示す図面である。
【図３】本発明の実施の形態による維持放電回路における各モードの電流経路を示す図面である。
【図４】本発明の実施の形態による維持放電回路における各モードの電流経路を示す図面である。
【図５】本発明の実施の形態による維持放電回路における各モードの電流経路を示す図面である。
【図６】本発明の実施の形態による維持放電回路における各モードの電流経路を示す図面である。
【図７】本発明の実施の形態による維持放電回路における各モードの電流経路を示す図面である。
【図８】本発明の実施の形態による維持放電回路における各モードの電流経路を示す図面である。
【図９】本発明の実施の形態による維持放電回路における各モードの電流経路を示す図面である。
【図１０】本発明の実施の形態による維持放電回路における各モードの電流経路を示す図面である。
【図１１】本発明の実施の形態による維持放電回路の動作タイミングを示す図面である。
【図１２】本発明の他の実施の形態によるプラズマディスプレイパネルの維持放電回路を示す図面である。
【符号の説明】
１００　プラズマパネル
２００　アドレス駆動部
３００　走査・維持駆動部
３１０　Ｙ電極駆動部
３２０　Ｘ電極駆動部
３３０　共振部
４００　制御部
【図１】
2004054264.tif 000003
【図２】
2004054264.tif 000004
【図３】
2004054264.tif 000005
【図４】
2004054264.tif 000006
【図５】
2004054264.tif 000007
【図６】
2004054264.tif 000008
【図７】
2004054264.tif 000009
【図８】
2004054264.tif 000010
【図９】
2004054264.tif 000011
【図１０】
2004054264.tif 000012
【図１１】
2004054264.tif 000013
【図１２】
2004054264.tif 000014